(57)【要約】【課題】  使用者が行った操作の正誤を基準として音声案内の有り無しを決定する音声制御機能を備えた電子機器を提供する。【解決手段】  本発明の電子機器は、制御手段と、操作画面等の各種画面を表示する表示手段と、使用者が操作を行うために用いる入力手段と、音声報知手段と、を備えて音声案内等の音声出力が可能な電子機器であり、使用者の熟練度に合わせて音声案内の有り無しを制御する音声制御機能を有し、この音声制御機能を実現するため、音声案内等の複数の音声情報が記憶された音声情報記憶手段と、使用者が行った操作の正誤を基準として音声案内の有り無しを決定するための音声有無設定基準情報が記憶された音声有無設定基準情報記憶手段と、を備え、使用者が行った正しい操作の連続回数又は誤った操作の連続回数から自動で音声案内の有り無しを制御する。【選択図】      図７
2011039641.tif 000002
【特許請求の範囲】
【請求項１】
制御手段と、
操作画面等の各種画面を表示する表示手段と、
使用者が操作を行うために用いる入力手段と、
音声案内等の複数の音声情報が記憶された音声情報記憶手段と、
該音声情報記憶手段に記憶された所定の音声情報を前記制御手段に制御されて音声案内等の音声を出力する音声報知手段と、
使用者が行った操作の正誤を、及び／又は、使用者が操作を行うまでに要した時間を、基準として音声案内の有り又は無しを決定する音声有無設定基準情報が記憶された音声有無設定基準情報記憶手段と、を備え、
前記制御手段は、使用者が行った操作の正誤判定を行う操作判定手段及び／又は使用者が操作を行うまでに要した時間の測定を行う計時手段として機能し、判定結果及び／又は測定結果と、前記音声有無設定基準情報記憶手段に記憶された音声有無設定基準情報と、を対比して前記音声案内の有り又は無しを設定することを特徴とする電子機器。
【請求項２】
使用者が行った操作の正誤を判定する前記操作判定手段と、
前記操作判定手段が判定した操作の正誤結果における連続回数を記憶する正誤回数記憶手段と、を備え、
前記制御手段は、前記正誤回数記憶手段に記憶された正しい操作又は誤った操作の連続回数を読み込み、正しい操作が連続して行われた場合には音声案内を無しに設定し、誤った操作が連続して行われた場合には音声案内を有りに設定することを特徴とする請求項１に記載の電子機器。
【請求項３】
前記音声有無設定基準情報記憶手段には、前記正誤回数記憶手段が記憶している正しい操作の連続回数が３以上の場合には音声案内を無しに設定し、前記正誤回数記憶手段が記憶している誤った操作の連続回数が２以上の場合には音声案内を有りに設定する旨の情報である音声有無設定基準情報が記憶されていることを特徴とする請求項２に記載の電子機器。
【請求項４】
前記正誤回数記憶手段は、前記表示手段に表示された画面毎に異なる操作の正誤回数情報を記憶していることを特徴とする請求項２又は請求項３のいずれかに記載の電子機器。
【請求項５】
前記計時手段は、前記表示手段に操作画面が表示されてからの時間、及び、所定の操作をしてから次の操作を行うまでの時間を測定し、
前記音声有無設定基準情報記憶手段には、前記表示手段に操作画面が表示されてから操作を行うまでの所定時間、及び、所定の操作を行った後に次の操作を行うまでの所定時間に関する音声有無設定基準情報が記憶され、
前記計時手段は、前記計時手段としての測定結果と、前記音声有無設定基準情報記憶手段に記憶された前記所定時間に関する情報である音声有無設定基準情報と、を対比して、前記測定結果が前記所定時間を超えている場合には音声案内を有りに設定することを特徴とする請求項１乃至請求項４のいずれかに記載の電子機器。
【請求項６】
前記制御手段は、電源スイッチが入ると、前記正誤回数記憶手段が記憶している正しい操作の連続回数及び誤った操作の連続回数を消去して０に設定すると共に、音声案内有りに設定する制御を行うことを特徴とする請求項２乃至請求項５のいずれかに記載の電子機器。
【請求項７】
使用者が行った操作が正しい操作であるか、或いは、誤った操作であるかを判定する操作判定処理を実行し、
該操作判定処理において使用者が行った操作が正しい操作であると判定した場合、
正しい操作の連続回数を加算すると共に誤った操作の連続回数を０にリセットするＯＫカウンタ加算処理と、
前記正しい操作の連続回数が所定値以上であるか否かを判定するＯＫカウンタ判定処理と、
該ＯＫカウンタ判定処理において正しい操作の連続回数が所定値以上であった場合に音声案内無しに設定する音声無し設定処理と、を実行し、
前記操作判定処理において使用者が行った操作が誤った操作であると判定した場合、
誤った操作の連続回数を加算すると共に正しい操作の連続回数を０にリセットするＮＧカウンタ加算処理と、
前記誤った操作の連続回数が所定値以上であるか否かを判定するＮＧカウンタ判定処理と、
該ＮＧカウンタ判定処理において誤った操作の連続回数が所定値以上であった場合に音声案内有りに設定する音声有り設定処理と、を実行することを特徴とする音声出力制御方法。
【請求項８】
表示手段に所定の画面が表示された時、或いは、使用者が所定の操作を行った時から計時を開始する計時開始処理と、
使用者によるキー操作が行われた場合に前記計時を終了する計時終了処理と、
操作信号を受信した場合に使用者が行った操作が正しい操作であるか、或いは、誤った操作であるかを判定する操作判定処理と、を実行し、
該操作判定処理において使用者が行った操作が正しい操作であると判定した場合、
正しい操作の連続回数を加算すると共に誤った操作の連続回数を０にリセットするＯＫカウンタ加算処理と、
前記正しい操作の連続回数が所定値以上であるか否かを判定するＯＫカウンタ判定処理と、
該ＯＫカウンタ判定処理において前記正しい操作の連続回数が所定値以上であったときに前記計時終了処理時における時間が所定時間以内であるか否かを判定する時間判定処理と、
該時間判定処理において前記計時終了処理時における時間が所定時間内であったときに音声案内無しに設定する音声無し設定処理と、を実行し、
前記操作判定処理において使用者が行った操作が誤った操作であると判定した場合、
誤った操作の連続回数を加算すると共に正しい操作の連続回数を０にリセットするＮＧカウンタ加算処理と、
前記誤った操作の連続回数が所定値以上であるか否かを判定するＮＧカウンタ判定処理と、
前記時間判定処理において前記計時終了処理時における時間が所定時間を超えている場合、及び、前記ＮＧカウンタ判定処理において前記誤った操作の連続回数が所定値以上であった場合に音声案内有りに設定する音声有り設定処理と、を実行することを特徴とする音声出力制御方法。
【請求項９】
電源スイッチが入ると、
最初に操作の正誤に関する連続回数を０にリセットし、音声案内を有りに設定する初期値設定処理を実行することを特徴とする請求項７又は請求項８に記載の音声出力制御方法。
【請求項１０】
表示手段に所定の画面が表示された時、或いは、使用者が所定の操作を行った時から計時を開始する計時開始処理と、
使用者によるキー操作が行われたか否かを判定する操作信号受信判定処理と、
該操作信号受信判定処理において操作信号を受信した場合に前記計時を停止する計時終了処理と、
該計時終了処理時における時間が所定時間以内であるか否かを判定する時間判定処理と、
該時間判定処理において前記計時終了処理時における時間が所定時間を超えている場合に音声案内有りに設定する音声有り設定処理と、
前記時間判定処理において前記計時終了処理時における時間が所定時間内であった場合に音声案内無しに設定する音声無し設定処理と、を実行することを特徴とする音声出力制御方法。
【請求項１１】
電源スイッチが入ると、
最初に音声案内を有りに設定する初期値設定処理を実行することを特徴とする請求項１０に記載の音声出力制御方法。
【請求項１２】
使用者が行った操作が正しい操作であるか、或いは、誤った操作であるかを判定する操作判定処理を実行し、
該操作判定処理において使用者が行った操作が正しい操作であると判定した場合、
正しい操作の連続回数を加算すると共に誤った操作の連続回数を０にリセットするＯＫカウンタ加算処理と、
前記正しい操作の連続回数が所定値以上であるか否かを判定するＯＫカウンタ判定処理と、
該ＯＫカウンタ判定処理において正しい操作の連続回数が所定値以上であった場合に音声案内無しに設定する音声無し設定処理と、を実行し、
前記操作判定処理において使用者が行った操作が誤った操作であると判定した場合、
誤った操作の連続回数を加算すると共に正しい操作の連続回数を０にリセットするＮＧカウンタ加算処理と、
前記誤った操作の連続回数が所定値以上であるか否かを判定するＮＧカウンタ判定処理と、
該ＮＧカウンタ判定処理において誤った操作の連続回数が所定値以上であった場合に音声案内有りに設定する音声有り設定処理と、を実行するためのプログラムが記憶されたことを特徴とするコンピュータ読み取り可能な記憶媒体。
【請求項１３】
表示手段に所定の画面が表示された時、或いは、使用者が所定の操作を行った時から計時を開始する計時開始処理と、
使用者によるキー操作が行われた場合に前記計時を終了する計時終了処理と、
操作信号を受信した場合に使用者が行った操作が正しい操作であるか、或いは、誤った操作であるかを判定する操作判定処理と、を実行し、
該操作判定処理において使用者が行った操作が正しい操作であると判定した場合、
正しい操作の連続回数を加算すると共に誤った操作の連続回数を０にリセットとするＯＫカウンタ加算処理と、
前記正しい操作の連続回数が所定値以上であるか否かを判定するＯＫカウンタ判定処理と、
該ＯＫカウンタ判定処理において前記正しい操作の連続回数が所定値以上であったときに前記計時終了処理時における時間が所定時間以内であるか否かを判定する時間判定処理と、
該時間判定処理において前記計時終了処理時における時間が所定時間内であったときに音声案内無しに設定する音声無し設定処理と、を実行し、
前記操作判定処理において使用者が行った操作が誤った操作であると判定した場合、
誤った操作の連続回数を加算すると共に正しい操作の連続回数を０にリセットするＮＧカウンタ加算処理と、
前記誤った操作の連続回数が所定値以上であるか否かを判定するＮＧカウンタ判定処理と、
前記時間判定処理において前記計時終了処理時における時間が所定時間を超えている場合、及び、前記ＮＧカウンタ判定処理において前記誤った操作の連続回数が所定値以上であった場合に音声案内有りに設定する音声有り設定処理と、を実行するためのプログラムが記憶されたことを特徴とするコンピュータ読み取り可能な記憶媒体。
【請求項１４】
電源スイッチが入ると、
最初に操作の正誤に関する連続回数を０にリセットし、音声案内を有りに設定する初期値設定処理を実行するためのプログラムが記憶されたことを特徴とする請求項１２又は請求項１３に記載のコンピュータ読み取り可能な記憶媒体。
【請求項１５】
表示手段に所定の画面が表示された時、或いは、使用者が所定の操作を行った時から計時を開始する計時開始処理と、
使用者によるキー操作が行われたか否かを判定する操作信号受信判定処理と、
該操作信号受信判定処理において操作信号を受信した場合に前記計時を停止する計時終了処理と、
該計時終了処理時における時間が所定時間以内であるか否かを判定する時間判定処理と、
該時間判定処理において前記計時終了処理時における時間が所定時間を超えている場合に音声案内有りに設定する音声有り設定処理と、
前記時間判定処理において前記計時終了処理時における時間が所定時間内であった場合に音声案内無しに設定する音声無し設定処理と、を実行するためのプログラムが記憶されたことを特徴とするコンピュータ読み取り可能な記憶媒体。
【請求項１６】
電源スイッチが入ると、
最初に音声案内を有りに設定する初期値設定処理を実行するためのプログラムが記憶されたことを特徴とする請求項１５に記載のコンピュータ読み取り可能な記憶媒体。
【発明の詳細な説明】
【技術分野】
【０００１】
本発明は、音声報知手段を備えた電子機器と、この電子機器における音声出力制御方法と、この音声出力制御方法をコンピュータに実行させるためのプログラムが記憶された記憶媒体と、に関する。
【背景技術】
【０００２】
近年、操作手順やエラーメッセージ等の音声案内を出力する機能を備えた電子機器が多数販売されている。このような音声案内は、電子機器の初心者にとっては非常に便利な機能であるが、熟練者にとっては不要な機能であった。そこで、特開平７−３０２０１７号公報（特許文献１）では、音声停止キーを設置し、音声案内の再生中に音声停止キーが押下されると音声案内を停止する電子機器についての提案がなされている。
【０００３】
しかしながら、音声停止キーで音声案内を停止した場合、全ての音声案内が停止してしまうため、例えば、久しぶりに電子機器を使用した場合に所定の操作手順を忘れてしまい音声案内が必要なとき等には、再度音声案内が出力されるように設定する必要があった。また、音声案内が出力されるように設定するために分厚いマニュアルを読む必要が出てくることもあった。さらに、音声停止キーで音声案内を停止した場合、操作手順等の音声案内に関しては出力されなくてもよいが、エラーメッセージ等の出力されるべき音声案内までもが停止してしまうという問題点もあった。
【０００４】
そこで、特開平１１−１３４０５９号公報（特許文献２）では、操作手順等の熟練者には必要のないメッセージと、エラーメッセージ等の全ての使用者にとって必要なメッセージとをグループ分けし、音声案内を停止した場合であっても、エラーメッセージ等は出力されるように音声出力を制御する提案がなされている。
【０００５】
また、特開２００５−６２４３６号公報（特許文献３）では、音声案内の停止や再生といった操作、或いは、音声案内の音量調整の操作等が容易にできる電子機器についての提案がなされている。
【先行技術文献】
【特許文献】
【０００６】
【特許文献１】特開平７−３０２０１７号公報
【特許文献２】特開平１１−１３４０５９号公報
【特許文献３】特開２００５−６２４３６号公報
【発明の概要】
【発明が解決しようとする課題】
【０００７】
上述したように、音声案内の停止、再生、音量調整等を手動で可能としている電子機器や、音声案内の内容によってグループ分けすることにより音声停止の操作が行われた場合でも重要なメッセージは再生するといった音声出力制御を行う電子機器は存在している。しかしながら、所定の表示画面における使用者の正しい操作、或いは、誤った操作を検出し、この使用者による操作の検出結果を利用して音声案内の有り又は無しの制御を行う電子機器は存在していなかった。
【０００８】
また、表示手段に所定の表示画面が表示されてから操作が行われるまでの時間、或いは、操作間に要した時間を測定し、この測定結果を利用して音声案内の有り又は無しの制御を行う電子機器も存在していなかった。
【０００９】
本発明は、上述したような従来技術の問題点に鑑みてなされたのものであり、使用者が行った操作の正誤を基準にして、又は、操作に要した時間を基準にして、若しくは、使用者が行った操作の正誤及び操作に要した時間の両方を基準にして音声案内の有り無し制御を行う電子機器と、このような音声案内の有り無しを制御する音声出力制御方法と、この音声出力制御方法を実現させるためのプログラムが記憶された記憶媒体と、を提供することを目的としている。
【課題を解決するための手段】
【００１０】
本発明の電子機器は、制御手段と、操作画面等の各種画面を表示する表示手段と、使用者が操作を行うために用いる入力手段と、音声案内等の複数の音声情報が記憶された音声情報記憶手段と、該音声情報記憶手段に記憶された所定の音声情報を前記制御手段に制御されて音声案内等の音声を出力する音声報知手段と、使用者が行った操作の正誤を、及び／又は、使用者が操作を行うまでに要した時間を、基準として音声案内の有り又は無しを決定する音声有無設定基準情報が記憶された音声有無設定基準情報記憶手段と、を備え、前記制御手段は、使用者が行った操作の正誤判定を行う操作判定手段及び／又は使用者が操作を行うまでに要した時間の測定を行う計時手段として機能し、判定結果及び／又は測定結果と、前記音声有無設定基準情報記憶手段に記憶された音声有無設定基準情報と、を対比して前記音声案内の有り又は無しを設定することを特徴とする。
【００１１】
また、本発明の電子機器は、使用者が行った操作の正誤を判定する前記操作判定手段と、前記操作判定手段が判定した操作の正誤結果における連続回数を記憶する正誤回数記憶手段と、を備え、前記制御手段は、前記正誤回数記憶手段に記憶された正しい操作又は誤った操作の連続回数を読み込み、正しい操作が連続して行われた場合には音声案内を無しに設定し、誤った操作が連続して行われた場合には音声案内を有りに設定することを特徴とする。
【００１２】
さらに、本発明の電子機器において、前記音声有無設定基準情報記憶手段には、前記正誤回数記憶手段が記憶している正しい操作の連続回数が３以上の場合には音声案内を無しに設定し、前記正誤回数記憶手段が記憶している誤った操作の連続回数が２以上の場合には音声案内を有りに設定する旨の情報である音声有無設定基準情報が記憶されていることを特徴とする。
【００１３】
また、本発明の電子機器において、前記正誤回数記憶手段は、前記表示手段に表示された画面毎に異なる操作の正誤回数情報を記憶していることもある。
【００１４】
そして、本発明の電子機器において、前記計時手段は、前記表示手段に操作画面が表示されてからの時間、及び、所定の操作をしてから次の操作を行うまでの時間を測定し、前記音声有無設定基準情報記憶手段には、前記表示手段に操作画面が表示されてから操作を行うまでの所定時間、及び、所定の操作を行った後に次の操作を行うまでの所定時間に関する音声有無設定基準情報が記憶され、前記計時手段は、前記計時手段としての測定結果と、前記音声有無設定基準情報記憶手段に記憶された前記所定時間に関する情報である音声有無設定基準情報と、を対比して、前記測定結果が前記所定時間を超えている場合には音声案内を有りに設定することもある。
【００１５】
また、本発明の電子機器において、前記制御手段は、電源スイッチが入ると、前記正誤回数記憶手段が記憶している正しい操作の連続回数及び誤った操作の連続回数を０にリセットすると共に、音声案内有りに設定する制御を行うことを特徴とする。
【００１６】
本発明の音声出力制御方法は、使用者が行った操作が正しい操作であるか、或いは、誤った操作であるかを判定する操作判定処理を実行し、該操作判定処理において使用者が行った操作が正しい操作であると判定した場合、正しい操作の連続回数を加算すると共に誤った操作の連続回数を０にリセットするＯＫカウンタ加算処理と、前記正しい操作の連続回数が所定値以上であるか否かを判定するＯＫカウンタ判定処理と、該ＯＫカウンタ判定処理において正しい操作の連続回数が所定値以上であった場合に音声案内無しに設定する音声無し設定処理と、を実行し、前記操作判定処理において使用者が行った操作が誤った操作であると判定した場合、誤った操作の連続回数を加算すると共に正しい操作の連続回数を０にリセットするＮＧカウンタ加算処理と、前記誤った操作の連続回数が所定値以上であるか否かを判定するＮＧカウンタ判定処理と、該ＮＧカウンタ判定処理において誤った操作の連続回数が所定値以上であった場合に音声案内有りに設定する音声有り設定処理と、を実行することを特徴とする。
【００１７】
また、本発明の音声出力制御方法は、表示手段に所定の画面が表示された時、或いは、使用者が所定の操作を行った時から計時を開始する計時開始処理と、使用者によるキー操作が行われた場合に前記計時を終了する計時終了処理と、操作信号を受信した場合に使用者が行った操作が正しい操作であるか、或いは、誤った操作であるかを判定する操作判定処理と、を実行し、該操作判定処理において使用者が行った操作が正しい操作であると判定した場合、正しい操作の連続回数を加算すると共に誤った操作の連続回数を０にリセットするＯＫカウンタ加算処理と、前記正しい操作の連続回数が所定値以上であるか否かを判定するＯＫカウンタ判定処理と、該ＯＫカウンタ判定処理において前記正しい操作の連続回数が所定値以上であったときに前記計時終了処理時における時間が所定時間以内であるか否かを判定する時間判定処理と、該時間判定処理において前記計時終了処理時における時間が所定時間内であったときに音声案内無しに設定する音声無し設定処理と、を実行し、前記操作判定処理において使用者が行った操作が誤った操作であると判定した場合、誤った操作の連続回数を加算すると共に正しい操作の連続回数を０にリセットするＮＧカウンタ加算処理と、前記誤った操作の連続回数が所定値以上であるか否かを判定するＮＧカウンタ判定処理と、前記時間判定処理において前記計時終了処理時における時間が所定時間を超えている場合、及び、前記ＮＧカウンタ判定処理において前記誤った操作の連続回数が所定値以上であった場合に音声案内有りに設定する音声有り設定処理と、を実行することもある。
【００１８】
そして、本発明の音声出力制御方法は、電源スイッチが入ると、最初に操作の正誤に関する連続回数を０にリセットし、音声案内を有りに設定する初期値設定処理を実行することもある。
【００１９】
また、本発明の音声出力制御方法は、表示手段に所定の画面が表示された時、或いは、使用者が所定の操作を行った時から計時を開始する計時開始処理と、使用者によるキー操作が行われたか否かを判定する操作信号受信判定処理と、該操作信号受信判定処理において操作信号を受信した場合に前記計時を停止する計時終了処理と、該計時終了処理時における時間が所定時間以内であるか否かを判定する時間判定処理と、該時間判定処理において前記計時終了処理時における時間が所定時間を超えている場合に音声案内有りに設定する音声有り設定処理と、前記時間判定処理において前記計時終了処理時における時間が所定時間内であった場合に音声案内無しに設定する音声無し設定処理と、を実行することもある。
【００２０】
さらに、本発明の音声出力制御方法は、電源スイッチが入ると、最初に音声案内を有りに設定する初期値設定処理を実行することもある。
【００２１】
本発明のコンピュータ読み取り可能な記憶媒体は、使用者が行った操作が正しい操作であるか、或いは、誤った操作であるかを判定する操作判定処理を実行し、該操作判定処理において使用者が行った操作が正しい操作であると判定した場合、正しい操作の連続回数を加算すると共に誤った操作の連続回数を０にリセットするＯＫカウンタ加算処理と、前記正しい操作の連続回数が所定値以上であるか否かを判定するＯＫカウンタ判定処理と、該ＯＫカウンタ判定処理において正しい操作の連続回数が所定値以上であった場合に音声案内無しに設定する音声無し設定処理と、を実行し、前記操作判定処理において使用者が行った操作が誤った操作であると判定した場合、誤った操作の連続回数を加算すると共に正しい操作の連続回数を０にリセットするＮＧカウンタ加算処理と、前記誤った操作の連続回数が所定値以上であるか否かを判定するＮＧカウンタ判定処理と、該ＮＧカウンタ判定処理において誤った操作の連続回数が所定値以上であった場合に音声案内有りに設定する音声有り設定処理と、を実行するためのプログラムが記憶されたことを特徴とする。
【００２２】
また、本発明のコンピュータ読み取り可能な記憶媒体は、表示手段に所定の画面が表示された時、或いは、使用者が所定の操作を行った時から計時を開始する計時開始処理と、使用者によるキー操作が行われた場合に前記計時を終了する計時終了処理と、操作信号を受信した場合に使用者が行った操作が正しい操作であるか、或いは、誤った操作であるかを判定する操作判定処理と、を実行し、該操作判定処理において使用者が行った操作が正しい操作であると判定した場合、正しい操作の連続回数を加算すると共に誤った操作の連続回数を０にリセットするＯＫカウンタ加算処理と、前記正しい操作の連続回数が所定値以上であるか否かを判定するＯＫカウンタ判定処理と、該ＯＫカウンタ判定処理において前記正しい操作の連続回数が所定値以上であったときに前記計時終了処理時における時間が所定時間以内であるか否かを判定する時間判定処理と、該時間判定処理において前記計時終了処理時における時間が所定時間内であったときに音声案内無しに設定する音声無し設定処理と、を実行し、前記操作判定処理において使用者が行った操作が誤った操作であると判定した場合、誤った操作の連続回数を加算すると共に正しい操作の連続回数を０にリセットするＮＧカウンタ加算処理と、前記誤った操作の連続回数が所定値以上であるか否かを判定するＮＧカウンタ判定処理と、前記時間判定処理において前記計時終了処理時における時間が所定時間を超えている場合、及び、前記ＮＧカウンタ判定処理において前記誤った操作の連続回数が所定値以上であった場合に音声案内有りに設定する音声有り設定処理と、を実行するためのプログラムが記憶されることもある。
【００２３】
そして、本発明のコンピュータ読み取り可能な記憶媒体は、電源スイッチが入ると、最初に操作の正誤に関する連続回数を０にリセットし、音声案内を有りに設定する初期値設定処理を実行するためのプログラムが記憶されることもある。
【００２４】
また、本発明のコンピュータ読み取り可能な記憶媒体は、表示手段に所定の画面が表示された時、或いは、使用者が所定の操作を行った時から計時を開始する計時開始処理と、使用者によるキー操作が行われたか否かを判定する操作信号受信判定処理と、該操作信号受信判定処理において操作信号を受信した場合に前記計時を停止する計時終了処理と、該計時終了処理時における時間が所定時間以内であるか否かを判定する時間判定処理と、該時間判定処理において前記計時終了処理時における時間が所定時間を超えている場合に音声案内有りに設定する音声有り設定処理と、前記時間判定処理において前記計時終了処理時における時間が所定時間内であった場合に音声案内無しに設定する音声無し設定処理と、を実行するためのプログラムが記憶されることもある。
【００２５】
さらに、本発明のコンピュータ読み取り可能な記憶媒体は、電源スイッチが入ると、最初に音声案内を有りに設定する初期値設定処理を実行するためのプログラムが記憶されることもある。
【発明の効果】
【００２６】
本発明によれば、使用者が行った操作の正誤を基準にして、又は、操作に要した時間を基準にして、若しくは、使用者が行った操作の正誤及び操作に要した時間の両方を基準にして音声案内の有り無し制御を行う電子機器と、このような音声案内の有り無しを制御する音声出力制御方法と、この音声出力制御方法を実現させるためのプログラムが記憶された記憶媒体と、を提供することができる。
【図面の簡単な説明】
【００２７】
【図１】本発明の実施例に係る電子機器としての文書作成装置の斜視図である。
【図２】本発明の実施例に係る文書作成装置の断面模式図である。
【図３】本発明の実施例に係る文書作成装置のキーボードの平面図である。
【図４】本発明の実施例に係る文書作成装置の機能ブロック図である。
【図５】本発明の実施例に係る文書作成装置の表示画面に表示された画面の一例を示す図である。
【図６】本発明の実施例に係る文書作成装置の表示画面に表示された画面の一例を示す図である。
【図７】本発明の実施例に係る電子機器の音声出力制御の制御フローを示すフローチャートである。
【図８】本発明の他の実施例に係る電子機器の音声出力制御の制御フローを示すフローチャートである。
【図９】本発明の更に異なる実施例に係る電子機器の音声出力制御の制御フローを示すフローチャートである。
【発明を実施するための形態】
【００２８】
以下、本発明を実施するための形態について述べる。本発明の電子機器は、制御手段41と、操作画面等の各種画面を表示する表示手段44と、使用者が操作を行うために用いる入力手段45と、使用者が操作を行う入力手段音声報知手段48と、を備えて音声案内等の音声出力が可能な電子機器である。また、この電子機器では、使用者が行った操作の正誤を基準にして音声案内の有り無しを制御する音声制御機能を有している。
【００２９】
この音声制御機能を実現するため、電子機器は、音声案内等の複数の音声情報が記憶された音声情報記憶手段と、使用者が行った操作の正誤に応じて音声案内の有り無しを決定するための音声有無設定基準情報が記憶された音声有無設定基準情報記憶手段と、使用者が行った操作の正誤判定を行う操作判定手段と、操作判定手段が判定した操作の正誤の回数を記憶する正誤回数記憶手段と、を備えている。
【００３０】
この正誤回数記憶手段は、正しい操作の連続回数及び誤った操作の連続回数を記憶している。また、音声有無設定基準情報記憶手段には、正誤回数記憶手段に記憶された操作の正誤の連続回数に応じて音声案内の有り無しを決定する音声有無設定基準情報が記憶されている。この音声有無設定基準情報の具体的な内容は、正しい操作の連続回数が３以上の場合には音声案内を無しに設定し、誤った操作の連続回数が２以上の場合には音声案内を有りに設定する旨の情報である。
【００３１】
そして、制御手段41は、正誤回数記憶手段に記憶された正しい操作又は誤った操作の連続回数を読み込み、正しい操作が連続して行われた場合には音声案内を無しに設定し、誤った操作が連続して行われた場合には音声案内を有りに設定することを特徴とする。
【００３２】
なお、正誤回数記憶手段は、表示手段44に表示された画面毎に異なる操作の正誤の連続回数を記憶しており、音声有無設定基準情報記憶手段は、表示手段44に表示された画面毎に音声有無設定基準情報を有している。よって、本発明の電子機器では、画面毎に音声案内の有り無しが設定されることとなる。
【実施例】
【００３３】
以下、本発明の実施例を図に基づいて詳説する。本発明は、音声案内等の音声を出力する音声報知手段を備えた電子機器であって、使用者が行った操作の正誤を判定し、所定回数以上連続で正しい操作を行ったときには音声案内を無しに設定し、所定回数以上連続で誤った操作を行ったときには音声案内を有りに設定する音声出力制御機能を有している。つまり、本実施例の電子機器では、使用者が行った操作の正誤の回数を使用者の熟練度を測る基準として音声出力の有り無しを決定する。以下に、この音声出力制御機能を備えた電子機器として、文書作成装置1を例に挙げて述べる。
【００３４】
図１は、本発明の実施例に係る文書作成装置1の外観斜視図であり、図２は、文書作成装置1の側面断面模式図である。文書作成装置1は、葉書（１００×１４８ｍｍ）やＬ判（８９×１２７ｍｍ）、２Ｌ判（１７８×１２７ｍｍ）等の比較的小さな印刷用紙10に印刷を実行する装置であり、住所録を作成する機能や、住所録から自動で葉書に宛名書をする機能や、デジタルカメラで撮影した写真画像を取り込み写真として印刷する機能や、文章を編集する機能、取り込んだ画像と文章とを組み合わせて葉書に印刷する機能等、様々な機能を有している。
【００３５】
この文書作成装置1は、図１に示すように、箱形の筐体2を備え、筐体2の前方には入力手段としてのキーボード3が配置されている。このキーボード3は、筐体2の前方下端近傍に回動可能に装着されており、使用状態では図１に示したように前方に倒され、使用しない場合には筐体2の前面と対向した状態で収納されている。
【００３６】
筐体2の前面には、印刷が完了した葉書や写真等の印刷用紙10が排出される排紙口5と、メモリーカード等の可搬型記憶媒体を挿入可能な記憶媒体挿入口6とが形成されている。この記憶媒体挿入口6は、メモリーカード等の着脱可能な可搬型記憶媒体が挿入されることにより、デジタルカメラで撮影された写真の画像データや、パーソナルコンピュータで編集された文章等の編集データを文書作成装置1に取り込み可能とすると共に、文書作成装置1で編集したデータをメモリーカード等に保存可能とする。
【００３７】
また、筐体2の上面には、表示手段とされる液晶等の表示部8が配置され、この表示部8は筐体2の正面方向に回動可能とされている。この表示部8は、キーボード3からの入力信号に対応して画面上に入力内容が表示される、或いは、各種の設定に必要なメニュー画面が表示される、又は、デジタルカメラから取り込んだ写真画像が表示される等、文書作成装置1で必要とする各種のデータが表示される。
【００３８】
さらに、筐体2の上部には、筐体2の後方側から筐体2の上方までの間を回動可能な取っ手15が装着されている。この取っ手15は、略コ字状に形成され、文書作成装置1の運搬時等に把持されて使用される。
【００３９】
そして、文書作成装置1は、図２に示すように、筐体2の背面に開口する空腔部16を有し、この空腔部16の開口を塞ぐように給紙トレイ18が配置されている。この給紙トレイ18は、筐体2の後方であって下方近傍位置に軸着されており、前後方向に回動可能とされ、印刷用紙10を複数枚重ねて収容することができるようになっている。
【００４０】
また、給紙トレイ18の内側であって上方位置には、給紙トレイ18に収容された印刷用紙10を１枚ずつ下方に送り出すピックアップローラ19が配置されている。また、給紙トレイ18の下端近傍には、ピックアップローラ19によって下方に送り出された印刷用紙10を筐体2の排紙口5方向へと搬送する搬送ローラ20a,20bが配置されている。
【００４１】
さらに、筐体2の内部であって搬送ローラ20a,20bの前方近傍には、印刷手段とされる印刷ヘッド21が配置されている。また、筐体2の内部であって印刷ヘッド21の前方には、印刷を完了した印刷用紙10を排紙口5から排出する排紙ローラ22a,22bが配置されている。この搬送ローラ20aと排紙ローラ22aは、図示しないステッピングモータによって回転を制御されて、所定速度で印刷用紙10を搬送している。なお、ピックアップローラ19と、搬送ローラ20a,20bと、排紙ローラ22a,22bは、文書作成装置1における搬送手段として機能している。
【００４２】
印刷手段とされる印刷ヘッド21は、Ｙ（イエロー）、Ｍ（マゼンタ）、Ｃ（シアン）の各色インクを吐出する夫々のノズルを有するインクジェット方式の印刷ヘッド21とされ、ノズルから各色を印刷用紙10に噴射することにより印刷を実行する。なお、インクジェット方式の印刷ヘッド21について述べたが、本発明がインクジェット方式に限定されるわけではない。
【００４３】
そして、給紙トレイ18に収容された印刷用紙10は、ピックアップローラ19によって前方に位置する印刷用紙10から順に下方に送り出され、搬送ローラ20a,20bとの間に挟み込まれた状態で印刷ヘッド21の下方に繰り出され、印刷が完了後、排紙ローラ22a,22bの間に挟み込まれて排紙口5から外部へと排出される。
【００４４】
図３は、文書作成装置1が備えるキーボード3の平面図である。図３に示すように、キーボード3には、電源のＯＮ／ＯＦＦを切り換える電源スイッチとしての電源キー30や、選択するアイコンの切り換え等に用いる方向キー32、選択するとき等に用いる実行キー34、文字／数字等を入力するときに用いる文字入力キー36、取消しや前画面に戻るときに用いる取消しキー38等が配列されている。
【００４５】
次に、本実施例の文書作成装置1の制御回路について述べる。図４は、文書作成装置1の機能回路ブロック図である。この文書作成装置1は、図４に示すように、制御手段41とするＣＰＵと、ＲＯＭ51やＲＡＭ52等の記憶手段42と、表示手段44と、入力手段45と、印刷機構47と、音声報知手段48と、を備える。
【００４６】
制御手段41は、入力手段45からのキー操作信号に応じて、又は、自動でＲＯＭ51に予め記憶されているシステムプログラム、メモリーカードに記憶された制御プログラム等を起動させ、ＲＡＭ52をワークメモリとして回路各部の動作を制御する。また、制御手段41は、ＲＯＭ51に予め記憶されている音声案内等の音声情報を読出し、音声報知手段48を制御して音声出力を実行させる処理を行う。さらに、この制御手段41は、使用者が行った操作の正誤を判定する操作判定手段としても機能する。また、制御手段41は、音声報知手段48に音声案内を出力させるか或いは出力させないかの設定も行う。
【００４７】
記憶手段42としてのＲＯＭ51は、文書編集時に使用する文字フォントや印刷の字体、編集する印刷用紙の規格情報、制御手段41が各種手段を制御する場合の制御プログラム等が記憶されている。また、ＲＯＭ51は、音声案内等の音声情報が予め記憶されており、音声情報記憶手段として機能する。さらに、ＲＯＭ51は、音声案内の有り又は無しの情報である音声有無設定基準情報が記憶されることにより音声有無設定基準情報記憶手段としても機能する。この音声有無設定基準情報は、使用者が行った正しい操作の連続回数及び誤った操作の連続回数に対応した音声案内の有り無し情報である。
【００４８】
記憶手段42としてのＲＡＭ52は、入力手段45で入力された文字等の文書の編集情報をワークメモリとして記憶する処理や、表示手段44に表示されるパターンデータを記憶する処理等を行う。また、ＲＡＭ52は、操作判定手段が判定した使用者が行った操作の連続した正誤回数を記憶する正誤回数記憶手段としても機能する。
【００４９】
また、表示手段44は、上述した表示部8であり、入力手段45は、上述したキーボード3である。さらに、音声報知手段48は、スピーカー等であり制御手段41が記憶手段42から読出した音声情報に従って音声案内の出力を行う。
【００５０】
印刷機構47は、印刷手段55と搬送手段56から構成される。この印刷手段55は、上述した印刷ヘッド21とされるものであって、印刷用紙10に印刷を実行する処理を行う。また、搬送手段56は、上述したピックアップローラ19、搬送ローラ20a,20bや排紙ローラ22a,22b、ローラを回転させるステッピングモータによって構成され、印刷用紙10を搬送する処理を行う。
【００５１】
そして、本実施例の文書作成装置1は、上述したように、使用者が行った操作の正誤を判定し、所定回数以上連続で正しい操作を行ったときには音声出力を停止し、所定回数以上連続で誤った操作を行ったときには音声出力を実行するという音声制御機能を備えている。このような音声制御機能を実現するために、文書作成装置1は、制御手段41と、音声情報記憶手段と、音声報知手段48と、操作判定手段と、正誤回数記憶手段と、音声有無設定基準情報記憶手段と、を備える。
【００５２】
音声情報記憶手段は、上述したようにＲＯＭ51が有する一機能であり、複数の音声案内の音声情報が予め記憶されている。この音声情報記憶手段に記憶されている音声案内としては、例えば、図５（ａ）に示すようなメニュー画面に対応した、「はがきの文面を作成するときは『文面』、宛名を印刷するときは『宛名』、写真を印刷するときは『デジタル写真プリント』を選んでください。」といったものがある。また、他の音声案内としては、図５（ｂ）に示すようなデジタル写真メニュー画面に対応した、「メモリーカードをカードスロットにセットしてください。デジタル写真メニューの中から項目を選んでください。」といったものもある。
【００５３】
操作判定手段は、上述したように制御手段41が有する一機能である。この操作判定手段は、使用者が行ったキー操作が正しい操作であるか、或いは、誤った操作であるかを判定し、判定結果を正誤回数記憶手段に送出する処理を行う。つまり、操作判定手段は、使用者が行った入力操作が表示手段44に表示されている画面において許容されているキー操作か否かを判定する。
【００５４】
この正しい操作とは、例えば、図６に示したような写真設定画面では、図３に示したキーボード3における方向キー32、実行キー34、文字入力キー36における数字のキー、取消しキー38が操作されたことをいう。また、誤った操作とは、文字入力キー36における数字のキー以外のキー等が操作された場合をいう。
【００５５】
正誤回数記憶手段は、上述したようにＲＡＭ52が有する一機能であり、操作判定手段が行ったキー操作の正誤の判定結果から正誤回数情報を記憶する。この正誤回数情報とは、操作判定手段が判定した操作の正誤結果における、正しい操作の連続回数又は誤った操作の連続回数を示す情報である。つまり、正誤回数記憶手段は、正しい操作の連続回数を数えるＯＫカウンタとして、及び、誤った操作の連続回数を数えるＮＧカウンタとして機能する。
【００５６】
例えば、図６に示した写真設定画面が表示手段44に表示され、この写真設定画面が文書作成装置1の電源を入れた後に初めて表示されたものである場合において、正誤回数記憶手段は、制御手段41に制御されて、方向キー32の操作が行われたときには正しい操作の連続回数としてＯＫカウンタを１とし、次に数字のキーが操作された場合にはＯＫカウンタを２とする。なお、方向キー32等は下、右等連続で操作することが多々あるが、同一のキーを連続で操作した場合であっても正しい操作の回数は１回としてカウントし、異なるキー、例えば、方向キー32の操作後に数字のキーが操作された場合等に正しい操作の回数を２回としてカウントする。
【００５７】
一方、正誤回数記憶手段は、ＯＫカウンタの値が２である場合において、文字入力キー36における数字のキー以外のキー等が操作された場合、ＯＫカウンタを０にリセットし、ＮＧカウンタを１とし、使用者が更に誤った操作を連続で行った場合にはＮＧカウンタを２とする。
【００５８】
また、正誤回数記憶手段は、音声情報記憶手段が記憶している音声情報の種類毎に、正しい操作又は誤った操作の連続回数を記憶している。つまり、図５（ａ）に示したメニュー画面、図５（ｂ）に示すようなデジタル写真メニュー画面、図６に示したような写真設定画面等、画面毎に異なるカウンタテーブルを有している。なお、この正誤回数記憶手段が記憶している正誤回数情報は、電源スイッチが入ると削除されて初期状態、つまり、リセットされて０となる。
【００５９】
音声有無設定基準情報記憶手段は、上述したようにＲＯＭ51が有する一機能であり、音声有無設定基準情報を記憶している。この音声有無設定基準情報とは、連続した操作の正誤回数に応じて音声案内を有りに設定する、又は、音声案内を無しに設定する旨の情報である。具体的な音声有無設定基準情報としては、３回連続で正しい操作が行われた場合には音声案内を無しに設定、つまり、音声フラグであるＯＮフラグを０に設定する旨の情報がある。また、音声有無設定基準情報としては、２回連続で誤った操作が行われた場合には音声案内を有りに設定、つまり、ＯＮフラグを１に設定する旨の情報もある。
【００６０】
以下、文書作成装置1における音声出力制御の制御フローについて述べる。図７は、文書作成装置1における音声出力制御の制御フローを示すフローチャートである。
【００６１】
電源スイッチがＯＮになると、制御手段41は、図７に示すように、初期値設定処理（ステップＳ１０１）を実行する。この初期値設定処理（ステップＳ１０１）とは、全種類のの音声案内における正しい操作の連続回数、及び、誤った操作の連続回数、つまり、ＯＫカウンタ及びＮＧカウンタを０にリセットすると共に、音声案内を出力させる設定、つまり、ＯＮフラグを１にセットする処理のことをいう。
【００６２】
初期値設定処理（ステップＳ１０１）の後、制御手段41は、表示手段44を制御して図５（ａ）に示したようなメニュー画面を表示させる画面表示処理（ステップＳ１０３）を実行する。次に制御手段41は、ＯＮフラグが１であるか否か、つまり、音声案内が有りの設定であるか無しの設定であるかを判定する音声フラグ判定処理（ステップＳ１０５）を実行する。
【００６３】
音声フラグ判定処理（ステップＳ１０５）においてＯＮフラグが１にセットされている、つまり、音声案内有りの設定であった場合、制御手段41は、音声報知手段48を制御して、表示手段44に表示された画面に対応する音声案内の音声情報を音声情報記憶手段から読み出し、音声を出力させる音声案内出力処理（ステップＳ１１０）を実行する。
【００６４】
また、制御手段41は、音声案内出力処理（ステップＳ１１０）の後、或いは、音声案内出力処理（ステップＳ１１０）の実行中において、使用者によるキー操作が行われたか否かを判定する操作信号受信判定処理（ステップＳ１１５）を実行する。なお、音声フラグ判定処理（ステップＳ１０５）においてＯＮフラグが０にリセットとされている、つまり、音声案内無しの設定であった場合、制御手段41は、操作信号受信判定処理（ステップＳ１１５）を実行する。
【００６５】
操作信号受信判定処理（ステップＳ１１５）において操作信号を受信した場合、制御手段41は、操作判定手段として使用者が行った操作が正しい操作であるか、或いは、誤った操作であるかを判定する操作判定処理（ステップＳ１２０）を実行する。また、操作信号受信判定処理（ステップＳ１１５）において操作信号を受信できない場合、制御手段41は、操作信号を受信するまで待機する。
【００６６】
操作判定処理（ステップＳ１２０）において、使用者が行った操作が正しい操作であった場合、制御手段41は、正誤回数記憶手段のＯＫカウンタに１を加算し、ＮＧカウンタを０にリセットするＯＫカウンタ加算処理（ステップＳ１３０）を実行する。そして、ＯＫカウンタ加算処理（ステップＳ１３０）の後、制御手段41は、正誤回数記憶手段に記憶されている正誤回数情報を読み出してＯＫカウンタが３以上であるか否かを判定するＯＫカウンタ判定処理（ステップＳ１４０）を実行する。
【００６７】
ＯＫカウンタ判定処理（ステップＳ１４０）においてＯＫカウンタが３以上であった場合、制御手段41は、音声フラグ（ＯＮフラグ）を０にリセットする、つまり、音声案内を無しに設定する音声無し設定処理（ステップＳ１４５）を実行する。
【００６８】
そして、音声無し設定処理（ステップＳ１４５）の後、制御手段41は、表示手段44に表示されている画面における操作が完了したか否かを判定する操作完了判定処理（ステップＳ１６０）を実行する。この操作完了判定処理（ステップＳ１６０）における操作の完了とは、例えば、図６に示すような写真設定画面では、プリントする写真の枚数を設定した後、実行キー34が押された場合等をいう。なお、ＯＫカウンタ判定処理（ステップＳ１４０）においてＯＫカウンタが３未満の場合、制御手段41は、操作完了判定処理（ステップＳ１６０）を実行する。
【００６９】
操作完了判定処理（ステップＳ１６０）において操作が完了していると判定した場合、制御手段41は、表示手段44を制御して次画面を表示させる次画面表示処理（ステップＳ１６５）を実行し、次画面における音声フラグ判定処理（ステップＳ１０５）を実行し同様の制御フローを行う。する。また、操作完了判定処理（ステップＳ１６０）において操作が完了していないと判定した場合、制御手段41は、操作信号受信判定処理（ステップＳ１１５）を実行する。
【００７０】
また、操作判定処理（ステップＳ１２０）において、使用者が行った操作が誤った操作であった場合、制御手段41は、正誤回数記憶手段のＮＧカウンタに１を加算し、ＯＫカウンタを０にリセットするＮＧカウンタ加算処理（ステップＳ１３５）を実行する。
【００７１】
そして、このＮＧカウンタ加算処理（ステップＳ１３５）の後、制御手段41は、ＮＧカウンタが２以上であるか否かを判定するＮＧカウンタ判定処理（ステップＳ１５０）を実行し、ＮＧカウンタが２以上の場合、音声フラグを１にセット、つまり、音声案内を有りに設定する音声有り設定処理（ステップＳ１５５）を実行する。また、音声有り設定処理（ステップＳ１５５）の後、制御手段41は、音声フラグ判定処理（ステップＳ１０５）を実行する。なお、ＮＧカウンタ判定処理（ステップＳ１５０）においてＮＧカウンタが２未満の場合、制御手段は、音声フラグ判定処理（ステップＳ１０５）を実行する。
【００７２】
このように本実施例の文書作成装置1は、使用者が行った操作の正誤を判定し、この結果を使用者の熟練度を測る基準として利用することにより、音声案内の出力を行う設定とするか、或いは、音声案内の出力を行わない設定とするかを自動で決定する音声出力制御機能を有している。
【００７３】
なお、連続で３回以上正しい操作をした場合には音声案内を無しに設定し、連続で２回以上誤った操作をした場合には音声案内を有りに設定するとしているが、この回数に限定されるものではなく、他の回数とすることや、使用者がこの回数を自由に設定する構成とすることもできる。
【００７４】
本実施例の音声報知手段48を備えた電子機器としての文書作成装置1では、使用者が行った操作の正誤を基準として音声案内の有り無しを設定する構成としている。よって、熟練した使用者であるならば誤った操作を行う回数が少なく、初心者等であるならば誤った操作を行う可能性が高いため、使用者が熟練している場合には音声案内無しに自動で設定され、初心者等であれば音声案内有りに自動で設定されるという音声出力制御を実現できることとなる。
【００７５】
また、本実施例の文書作成装置1では、操作の正誤の回数を記憶する正誤回数記憶手段と、操作の正誤の回数に応じて音声案内の有り又は無しを決定する音声有無設定基準情報が記憶された音声有無設定基準情報記憶手段と、を備え、制御手段41が、正誤回数記憶手段に記憶された正誤回数と音声有無設定基準情報とを対比して、音声案内の有り無しを設定する構成としている。このように使用者が行った操作の正誤回数を基準として音声案内の有り無しを設定することにより、使用者の熟練度に応じた音声案内の有り無し設定が自動でできることとなる。
【００７６】
さらに、本実施例の文書作成装置1では、使用者が正しい操作を連続で行った場合に音声案内を無しに設定し、使用者が誤った操作を連続で行った場合に音声案内を有りに設定する構成としている。このように連続した正誤の回数を基準にして操作案内の有無を設定する構成としたのは、熟練者であってもキーの押し間違い等をすることがあり、また、初心者であっても正しい操作をすることがあるため、１回の操作を基準に音声案内の有り無しを設定する構成とした場合には、熟練者にとっては耳障りなものとなり、一方、初心者にとっては操作が解らない可能性があるからである。つまり、連続した正誤の回数を基準にして操作案内の有無を設定する構成とすることにより、このような問題を解決することができる。
【００７７】
また、正しい操作の連続回数が３以上の場合には音声案内を無しに設定し、誤った操作の連続回数が２以上の場合には音声案内を有りに設定する構成とすることにより、使用者の熟練度に合わせた音声出力制御が可能となる。なお、音声有無設定基準情報を使用者自身が設定することで、音声案内を無しに設定するための正しい操作の連続回数や、音声案内を有りに設定するための正しい操作の連続回数を変更することもできる。
【００７８】
そして、正誤回数記憶手段が表示手段44に表示された画面毎に異なる操作の正誤回数情報を記憶する構成とすることにより、操作内容が異なるページ毎に音声案内の有り無しを設定することが可能となる。これにより、使用者が熟練している作業では音声出力無し、使用者が熟練していない作業に関しては音声出力有りといった設定を自動で実現することができる。
【００７９】
さらに、本実施例の文書作成装置1では、電源スイッチが入ると、操作の正誤の連続回数を０に設定すると共に、音声出力を有りに設定する初期値設定処理を行う構成としている。これにより、一度は熟練した使用者が久しぶりに装置を使用したために使用方法を忘れている場合等であっても、音声案内により容易に操作を行うことができる。
【００８０】
次に、本発明の他の実施例に係る文書作成装置1の音声制御機能について述べる。上述した実施例における音声制御機能では、使用者が行った操作の正誤を基準にして音声案内の有り無しを決定していたが、本実施例では、使用者が行った操作の正誤に加えて、操作がなされるまでに要する時間も基準として音声案内の有り無しを決定することを特徴とする。
【００８１】
このような音声制御機能を実現するために、本他の実施例の文書作成装置1は、制御手段41と、表示手段44と、入力手段45と、音声報知手段48と、音声情報記憶手段と、操作判定手段と、正誤回数記憶手段と、音声有無設定基準情報記憶手段と、計時手段と、を備える。制御手段41、表示手段44、入力手段45、音声報知手段48、音声情報記憶手段、操作判定手段、正誤回数記憶手段に関しては上述した実施例と同一であるため詳細な説明は省略する。
【００８２】
計時手段は、制御手段41が有する一機能である。この計時手段は、表示手段44に所定の画面が表示されると計時を開始し、使用者が行った操作の信号を受信すると計時を停止するという処理を実行する。また、計時手段は、所定の操作があった後、次の操作があるまでの時間を計時する。
【００８３】
また、音声有無設定基準情報記憶手段に記憶された音声有無設定基準情報は、上述したように連続した操作の正誤回数に応じて音声案内の有り、又は、音声案内の無しを制御する情報に加えて、計時手段が計時した時間に応じて音声案内の有り、又は、音声案内の無しを制御する情報を有している。
【００８４】
この音声有無設定基準情報は、例えば、図５（ａ）に示したメニュー画面が表示手段44に表示されている場合には、メニュー画面が表示されてから操作が行われるまでに所定時間以上かかった場合には音声案内を有り、つまり、音声フラグであるＯＮフラグを１に設定するといった情報である。
【００８５】
また、音声有無設定基準情報は、メニュー画面が表示された後、所定の操作があった場合であって、当該操作から次の操作までに所定時間以上かかった場合にはＯＮフラグを１に設定するといった情報も有している。さらに、音声有無設定基準情報は、使用者が所定時間以上操作を行わなかった場合にはＯＮフラグを１に設定するといった情報も有している。なお、操作が行われるまでの時間を所定時間としているが、この所定時間は、予め初期設定で設定しておくが、使用者に所望の時間を設定させることもできる。
【００８６】
以下、本発明の他の実施例の文書作成装置1における音声出力制御の制御フローについて述べる。図８は、他の実施例の文書作成装置1における音声出力制御の制御フローを示すフローチャートである。
【００８７】
電源スイッチがＯＮになると、制御手段41は、図８に示すように、初期値設定処理（ステップＳ２０１）を実行し、表示手段44を制御して図５（ａ）に示したようなメニュー画面を表示させる画面表示処理（ステップＳ２０３）を実行する。
【００８８】
そして、画面表示処理（ステップＳ２０３）の後、制御手段41は、計時手段として使用者が操作を行うまでの時間を計るための計時を始める計時開始処理（ステップＳ２０４）を実行する。
【００８９】
計時開始処理（ステップＳ２０４）の後、制御手段41は、ＯＮフラグが１であるか否かを判定する音声フラグ判定処理（ステップＳ２０５）を実行する。この音声フラグ判定処理（ステップＳ２０５）においてＯＮフラグが１であった場合、制御手段41は、音声報知手段48を制御して、音声情報を音声情報記憶手段から読み出し音声を出力させる音声案内出力処理（ステップＳ２１０）を実行する。
【００９０】
また、制御手段41は、音声案内出力処理（ステップＳ２１０）の後、或いは、音声案内出力処理（ステップＳ２１０）の実行中において、使用者によるキー操作が行われたか否かを判定する操作信号受信判定処理（ステップＳ２１５）を実行する。なお、音声フラグ判定処理（ステップＳ２０５）においてＯＮフラグが０であった場合、制御手段41は、操作信号受信判定処理（ステップＳ２１５）を実行する。
【００９１】
操作信号受信判定処理（ステップＳ２１５）において操作信号を受信した場合、制御手段41は、計時終了処理（ステップＳ２１７）を実行し、操作判定手段として使用者が行った操作が正しい操作であるか、或いは、誤った操作であるかを判定する操作判定処理（ステップＳ２２０）を実行する。
【００９２】
また、操作信号受信判定処理（ステップＳ２１５）において操作信号を受信できない場合、制御手段41は、所定時間以上経過したか否かを判定する時間判定処理（ステップＳ２１８）を実行する。そして、この時間判定処理（ステップＳ２１８）において所定時間以上経過したと判定した場合には、音声案内の有り無しを表すＯＮフラグを１にセットする音声有り設定処理（ステップＳ２１９）を実行し、計時開始処理（ステップＳ２０４）を再び実行する。一方、時間判定処理（ステップＳ２１８）において所定時間以上経過していない場合には、操作信号を受信するまで待機する。
【００９３】
操作判定処理（ステップＳ２２０）において、使用者が行った操作が正しい操作であった場合、制御手段41は、正誤回数記憶手段のＯＫカウンタに１を加算し、ＮＧカウンタを０にリセットするＯＫカウンタ加算処理（ステップＳ２３０）を実行する。ＯＫカウンタ加算処理（ステップＳ２３０）の後、制御手段41は、正誤回数記憶手段に記憶されている正誤回数情報を読み出してＯＫカウンタが３以上であるか否かを判定するＯＫカウンタ判定処理（ステップＳ２４０）を実行する。
【００９４】
ＯＫカウンタ判定処理（ステップＳ２４０）においてＯＫカウンタが３以上の場合、制御手段41は、計時手段として測定した操作までの時間が音声有無設定基準情報記憶手段に記憶された音声有無設定基準情報における所定の時間内であるか否かを判定する時間判定処理（ステップＳ２４３）を実行する。そして、時間判定処理（ステップＳ２４３）において所定時間内に操作が行われたと判定した場合、制御手段41は、音声フラグ（ＯＮフラグ）を０にリセットする音声無し設定処理（ステップＳ２４５）を実行する。
【００９５】
この音声無し設定処理（ステップＳ２４５）の後、制御手段41は、表示手段44に表示されている画面における操作が完了したか否かを判定する操作完了判定処理（ステップＳ２６０）を実行する。
【００９６】
そして、この操作完了判定処理（ステップＳ２６０）において操作が完了している場合、制御手段41は、表示手段44を制御して次画面を表示させる次画面表示処理（ステップＳ２６５）を実行し、次画面における計時開始処理（ステップＳ２０４）を実行する。一方、操作完了判定処理（ステップＳ２６０）において操作が完了していない場合、制御手段41は、表示手段44に同一の画面が表示されている状態における各操作間の時間を計るため、操作間計時開始処理（ステップＳ２７５）を実行する。そして、操作間計時開始処理（ステップＳ２７５）の後、制御手段41は、操作信号受信判定処理（ステップＳ２１５）を再び実行する。
【００９７】
また、ＯＫカウンタ判定処理（ステップＳ２４０）においてＯＫカウンタが３未満の場合、制御手段41は、操作完了判定処理（ステップＳ２６０）を実行する。
【００９８】
また、操作判定処理（ステップＳ２２０）において、使用者が行った操作が誤った操作であった場合、制御手段41は、正誤回数記憶手段のＮＧカウンタに１を加算し、ＯＫカウンタを０にリセットするＮＧカウンタ加算処理（ステップＳ２３５）を実行する。
【００９９】
そして、このＮＧカウンタ加算処理（ステップＳ２３５）の後、制御手段41は、ＮＧカウンタが２以上であるか否かを判定するＮＧカウンタ判定処理（ステップＳ２５０）を実行し、ＮＧカウンタが２以上の場合、ＯＮフラグを１にセットする音声有り設定処理（ステップＳ２５５）を実行する。そして、音声有り設定処理（ステップＳ２５５）の後、制御手段41は、計時開始処理（ステップＳ２０４）を実行する。なお、ＮＧカウンタ判定処理（ステップＳ２５０）においてＮＧカウンタが２未満の場合、制御手段は、計時開始処理（ステップＳ２０４）を実行する。
【０１００】
このように、本発明の他の実施例に係る文書作成装置1は、上述した実施例で述べたように、使用者が行った操作の正誤を音声案内の有無を設定する基準とすると共に、表示手段44に新しい画面表示がなされた場合には表示から操作までに要した時間、或いは、複数の操作が必要な場合には各操作間の時間を音声案内の有無を設定する基準としている。
【０１０１】
本実施例によれば、使用者が行った操作の正誤、及び、使用者が操作を行うまでに要した時間を基準に音声案内の有無を設定する構成としているため、例え正しい操作を連続で行った場合であっても、初心者等のように操作に時間を要する使用者が使用している場合には音声案内を出力するように自動で設定できる。
【０１０２】
また、計時手段が、表示手段44に操作画面が表示されてからの時間、及び、所定の操作をしてから次の操作を行うまでの時間を測定する構成としているため、使用者が一部の操作方法を忘れてしまった場合等には、自動で音声案内を出力するように設定することができる。
【０１０３】
次に、本発明の更に異なる実施例に係る文書作成装置1の音声制御機能について述べる。上述した各実施例における音声制御機能では、使用者が行った操作の正誤、或いは、操作の正誤及び操作がなされるまでに要する時間を音声案内の有無を設定する基準として利用していたが、本実施例に係る文書作成装置1は、操作がなされるまでに要する時間のみを音声案内の有無を設定する基準とすることを特徴とする。
【０１０４】
このような音声制御機能を実現するために、本実施例の文書作成装置1は、制御手段41と、表示手段44と、入力手段45と、音声報知手段48と、音声情報記憶手段と、音声有無設定基準情報記憶手段と、計時手段と、を備える。
【０１０５】
以下、本発明の更に異なる実施例の文書作成装置1における音声出力制御の制御フローについて述べる。図９は、本発明の更に異なる実施例の文書作成装置1における音声出力制御の制御フローを示すフローチャートである。
【０１０６】
電源スイッチがＯＮになると、制御手段41は、図９に示すように、音声案内の有り無しを表すＯＮフラグをＯＮフラグを１にセットする初期値設定処理（ステップＳ３０１）を実行し、表示手段44を制御して図５（ａ）に示したようなメニュー画面を表示させる画面表示処理（ステップＳ３０３）を実行する。
【０１０７】
そして、画面表示処理（ステップＳ３０３）の後、制御手段41は、計時手段として使用者が操作を行うまでに要する時間を計測するための計時を開始する計時開始処理（ステップＳ３０４）を実行する。
【０１０８】
計時開始処理（ステップＳ３０４）の後、制御手段41は、ＯＮフラグが１であるか否かを判定する音声フラグ判定処理（ステップＳ３０５）を実行する。この音声フラグ判定処理（ステップＳ３０５）においてＯＮフラグが１であった場合、制御手段41は、音声報知手段48を制御して、音声情報を音声情報記憶手段から読み出し音声を出力させる音声案内出力処理（ステップＳ３１０）を実行する。
【０１０９】
また、制御手段41は、音声案内出力処理（ステップＳ３１０）の後、或いは、音声案内出力処理（ステップＳ３１０）の実行中において、使用者によるキー操作が行われたか否かを判定する操作信号受信判定処理（ステップＳ３１５）を実行する。なお、音声フラグ判定処理（ステップＳ３０５）においてＯＮフラグが０であった場合、制御手段41は、操作信号受信判定処理（ステップＳ３１５）を実行する。
【０１１０】
操作信号受信判定処理（ステップＳ３１５）において操作信号を受信した場合、制御手段41は、計時終了処理（ステップＳ３１７）を実行する。また、操作信号受信判定処理（ステップＳ３１５）において操作信号を受信できない場合、制御手段41は、所定時間以上経過したか否かを判定する時間判定処理（ステップＳ３１８）を実行する。そして、この時間判定処理（ステップＳ３１８）において所定時間以上経過した場合には、ＯＮフラグを１にセットする音声有り設定処理（ステップＳ３１９）を実行し、計時開始処理（ステップＳ３０４）を再び実行する。一方、時間判定処理（ステップＳ３１８）において所定時間以上経過していない場合には、操作信号を受信するまで待機する。
【０１１１】
計時終了処理（ステップＳ３１７）の後、制御手段41は、計時手段として測定した操作までに要した時間が音声有無設定基準情報記憶手段に記憶された音声有無設定基準情報における所定の時間内であるか否かを判定する時間判定処理（ステップＳ３４３）を実行する。そして、時間判定処理（ステップＳ３４３）において所定時間内に操作が行われたと判定した場合、制御手段41は、ＯＮフラグを０にリセットする音声無し設定処理（ステップＳ３４５）を実行する。
【０１１２】
この音声無し設定処理（ステップＳ３４５）の後、制御手段41は、表示手段44に表示されている画面における操作が完了したか否かを判定する操作完了判定処理（ステップＳ３６０）を実行する。
【０１１３】
そして、この操作完了判定処理（ステップＳ３６０）において操作が完了している場合、制御手段41は、表示手段44を制御して次画面を表示させる次画面表示処理（ステップＳ３６５）を実行し、次画面における計時開始処理（ステップＳ３０４）を実行する。一方、操作完了判定処理（ステップＳ３６０）において操作が完了していない場合、制御手段41は、表示手段44に同一の画面が表示されている状態における各操作間の時間を計るため、操作間計時開始処理（ステップＳ３７５）を実行する。そして、操作間計時開始処理（ステップＳ３７５）の後、制御手段41は、操作信号受信判定処理（ステップＳ３１５）を再び実行する。
【０１１４】
また、時間判定処理（ステップＳ３４３）において所定時間内に操作が行われなかったと判定した場合、制御手段41は、ＯＮフラグを１にセットする音声有り設定処理（ステップＳ３５５）を実行する。そして、この音声有り設定処理（ステップＳ３５５）の後、制御手段41は、表示手段44に表示されている画面における操作が完了したか否かを判定する操作完了判定処理（ステップＳ３７０）を実行する。
【０１１５】
この操作完了判定処理（ステップＳ３７０）において操作が完了している場合、制御手段41は、表示手段44を制御して次画面を表示させる次画面表示処理（ステップＳ３６５）を実行する。一方、操作完了判定処理（ステップＳ３７０）において操作が完了していない場合、制御手段41は、計時開始処理（ステップＳ３０４）を実行する。
【０１１６】
つまり、本実施例の文書作成装置1では、表示手段44に所定の画面が表示されてから操作までに要する時間、及び、操作間の時間を計時し、所定時間内に操作が行われた場合には使用者が熟練していると判断して音声出力無しを設定し、所定時間内に操作が行われない場合には使用者が熟練していないと判断して音声出力有りを設定する。よって、本実施例の文書作成装置1では、使用者が操作に所定時間以上を要する場合には音声が出力される構成となる。
【０１１７】
このように、操作に要する時間を基準として音声案内の有無を設定する構成とすることによっても、上述した各実施例と同様に、熟練者であれば自動で音声案内の出力が無くなり、初心者であれば自動で音声案内の出力が行われるといった音声出力制御機能を実現することができる。
【０１１８】
なお、図７乃至図９のフローチャートに示した処理は、コンピュータに実現させることのできるプログラムとして、例えば磁気ディスク、光ディスク、半導体メモリ等の記憶媒体に書き込んだ状態で各種装置に適用する、或いは、通信媒体により伝送して各種装置に適用することも可能である。このように所望の記憶媒体に本実施例で述べた各処理を記憶させ、他のコンピュータ等でプログラムを実行させることにより、本実施例の装置を用いた場合と同様の作用効果が得られる。なお、コンピュータは、文書作成装置1に内蔵されたコンピュータに限定されるわけではなく、記憶媒体に記憶されたプログラムを読み取り可能であって、読み取ったプログラムに従って制御動作を行うＣＰＵ等の演算装置を備えているあらゆるコンピュータを含む。
【０１１９】
また、音声出力制御の説明のため文書作成装置1を用いて述べてきたが、この音声出力制御は、音声報知手段48を備えたあらゆる電子機器において使用でき、文書作成装置1に特化した発明ではない。この音声報知手段48を備えた電子機器の例としては、撮像装置、投影装置、電子レンジ、給湯器、家電、自動車、パーソナルコンピュータ等が考えられる。
【０１２０】
さらに、本発明は、以上の実施例に限定されるものでなく、発明の要旨を逸脱しない範囲で自由に変更、改良が可能である。
【符号の説明】
【０１２１】
1   文書作成装置                        2   筐体
3   キーボード
5   排紙口                              6   記憶媒体挿入口
8   表示部                              10  印刷用紙
15  取っ手                              16  空腔部
18  給紙トレイ                          19  ピックアップローラ
20a,20b  搬送ローラ                     21  印刷ヘッド
22a,22b  排紙ローラ
30  電源キー                            32  方向キー
34  実行キー                            36  文字入力キー
38  取消しキー                          41  制御手段
42  記憶手段                            44  表示手段
45  入力手段                            47  印刷機構
48  音声報知手段
51  ＲＯＭ                              52  ＲＡＭ
55  印刷手段                            56  搬送手段
【図１】
2011039641.tif 000003
【図２】
2011039641.tif 000004
【図３】
2011039641.tif 000005
【図４】
2011039641.tif 000006
【図５】
2011039641.tif 000007
【図６】
2011039641.tif 000008
【図７】
2011039641.tif 000009
【図８】
2011039641.tif 000010
【図９】
2011039641.tif 000011